(57)【要約】【課題】ディスク搬送機構とピックアップ送り機構への動力切替とピックアップの固定および解除のタイミングを確実に合わせることができるディスク再生装置を得る。【解決手段】１つのカムギアＧ９に２つのカム面１５−ａ，１６−ａを設け、一方のカム面１５−ａにディスク搬送機構とピックアップ送り機構への動力を切替える動力切替レバー９を当接させ、他方のカム面１６−ａに前記ピックアップ１２を初期位置に保持するロックレバー１１を当接させたものである。【選択図】図１
2009043329.tif 000002
【特許請求の範囲】
【請求項１】
ディスク搬送から再生状態に移行するまでに、ディスク搬送機構とピックアップ送り機構との間で動力切替を行うディスク再生装置において、１つのカムギアに２つのカム面を設け、一方のカム面に当接して前記ディスク搬送機構と前記ピックアップ送り機構とに対する動力切替を行う動力切替レバーと、他方のカム面に当接して前記ピックアップの固定および解除を行うロックレバーとを備えたことを特徴とするディスク再生装置。
【請求項２】
ロックレバーは、付勢部材の付勢力によりカム面に当接されていることを特徴とする請求項１記載のディスク再生装置。
【請求項３】
１つのカムギアは、ディスクをターンテーブルの軸線上まで一方向に引き入れる動作時、カム面と当接するロックレバーを該カム面と挟持する補助壁を備えたことを特徴とする請求項１記載のディスク再生装置。
【請求項４】
補助壁と当接するロックレバーの当接係合部をテーパ形状としたことを特徴とする請求項１記載のディスク再生装置。
【請求項５】
ピックアップを保持するピックアップ本体に設けた係合部と、この係合部に係合するロックレバーの係合部との少なくとも一方をテーパ形成としたことを特徴とする請求項１記載のディスク再生装置。
【発明の詳細な説明】
【技術分野】
【０００１】
この発明は、ディスクをターンテーブルの軸線上まで一方向に引き入れた後、直交する他方向に移動させて前記ターンテーブルに搭載させるディスク搬送からピックアップを前記ディスクの半径方向に移動させて再生状態に移行するまでにディスク搬送機構とピックアップ送り機構との間で動力切替を行うディスク再生装置に関するものである。
【背景技術】
【０００２】
この種のディスク再生装置は、ディスクがターンテーブルに搭載されるまでのディスク待機状態において、ピックアップがディスクの内周側に位置する初期位置からずれてしまうと、ピックアップ位置と動力切替との間に同期ずれが発生するため、ディスク待機状態ではピックアップが移動しないように該ピックアップを固定することが必要である。そこで、特許文献１記載のものは、ピックアップを搭載させた移動体に連結されたギアに形成された円弧状リブの周面及び端面に捩りコイルバネを作用させたものである。
【０００３】
【特許文献１】特開２００５−１９０５０８号公報（（００２０）、図３）
【発明の開示】
【発明が解決しようとする課題】
【０００４】
従来のディスク再生装置は以上のように構成されているので、ディスク搬送機構とピックアップ送り機構との間で動力切替が行われる際、ピックアップの固定および解除のタイミングを合わすことが困難で、固定および解除が早すぎると、ピックアップ送り機構に対する動力切替えが完了する前にピックアップがずれてしまい、ピックアップ位置と動力切替との間の同期にずれが発生する可能性がある。また、ピックアップの固定および解除が遅すぎると、ピックアップが固定されたままピックアップ送り機構に動力が切替り、ピックアップが送れない等の課題があった。
【０００５】
この発明は上記のような課題を解決するためになされたもので、動力切替とピックアップの固定および解除のタイミングを確実に合わせることができるディスク再生装置を得ることを目的とする。
【課題を解決するための手段】
【０００６】
この発明に係るディスク再生装置は、１つのカムギアに２つのカム面を設け、一方のカム面に当接して前記ディスク搬送機構と前記ピックアップ送り機構とに対する動力切替を行う動力切替レバーと、他方のカム面に当接して前記ピックアップの固定および解除を行うロックレバーとを備えたものである。
【発明の効果】
【０００７】
この発明によれば、１つのカムギアに設けた２つのカム面の一方にディスク搬送機構とピックアップ送り機構とに対する動力切替を行う動力切替レバーを、他方のカム面にピックアップの固定および解除を行うロックレバーを当接させたので、動力切替とピックアップの固定および解除のタイミングを確実に合わせることができるという効果がある。
【発明を実施するための最良の形態】
【０００８】
実施の形態１．
図面はこの発明の実施の形態１によるディスク再生装置の動力切替部を示す図であり、図１はピックアップを初期位置に保持した状態を示す平面図、図２は図１のＡ−Ａ線に沿う横断面図、図３は動力をディスク搬送機構側からピックアップ送り機構側に切替えることを開始した状態を示す平面図、図４は図３の要部の拡大平面図、図５は動力をピックアップ送り機構側に切替えた状態を示す平面図、図６は図５の要部の拡大平面図、図７はピックアップ本体の係合部とロックレバーの係合部の係合状態を示す拡大平面図、図８は２つのカム面を設けたカムギアの拡大平面図である。
【０００９】
図において、再生部のシャーシ１には、多数の軸２から軸８がそれぞれ所定の間隔をあけて設けられている。軸２には不図示の駆動源としてのモータにより駆動されるギアＧ１が回転可能に支持されている。軸３にはギアＧ１に噛合うギアＧ２と小径ギアＧ３および動力切替レバー９が回転可能に支持されている。軸４にはギアＧ２と噛合うギアＧ４が回転可能に支持されているとともにロックレバー１１が回転可能に支持されている。軸５にはギアＧ３と噛合うカムギアＧ９が回転可能に支持されている。このカムギアＧ９にはその一部に欠歯部Ｇ９−ａが形成されている。軸６にはギアＧ６が回転可能に支持されており、このギアＧ６は不図示のギアを介してディスク搬送機構に動力を伝達するように構成されている。軸７にはギアＧ７とピニオンギアＧ８が回転可能に支持されている。軸８にはターンテーブル１４が回転可能に支持されている。
【００１０】
ピックアップ１３を備えたピックアップ本体１２は、ディスク、つまり、ターンテーブル１４の半径方向に移動可能に支持されており、その一端側に設けられて腕部１２−ａには上記ピニオンギアＧ８が噛合うラックギアＧ１０が形成されている。また、上記動力切替レバー９には軸１０が設けられ、この軸１０にはギアＧ３と噛合うギアＧ５が回転可能に支持されている。ここで、上記のギアＧ７とピニオンギアＧ８およびラックギアＧ１０とでピックアップ送り機構を構成している。
【００１１】
上記カムギアＧ９には、内外に２つのカム溝１５，１６が形成されており、カム溝１５のカム面１５−ａには動力切替レバー９に設けたピン９−ａが当接係合している。また、カム溝１６のカム面１６−ａにはロックレバー１１の一端に設けたピン１１−ａが当接係合している。動力切替レバー９はコイルスプリング等の付勢部材１８により反時計方向の回動力が付与され、また、ロックレバー１１はコイルスプリング等の付勢部材１９により時計方向の回動力が付与されている。この結果、カム面１５−ａに対するピン９−ａの当接係合およびカム面１６−ａに対するピン１１−ａの当接係合がそれぞれ維持される。ロックレバー１１の他端には、ピックアップ本体１２がターンテーブル１４の内周部に位置したとき該ピックアップ本体の係合凹部１２−ｂに係合するピン１１−ｂが設けられている。
【００１２】
次に動作について説明する。
図１、図２はギアＧ３がカムギアＧ９の欠歯部Ｇ９−ａに対向位置し、カムギアＧ９には駆動力は付与されず該カムギアは図示位置に停止している。この状態において、ギアＧ１−ギアＧ２−ギアＧ３−ギアＧ５の動力伝達系を介してディスク搬送側のギアＧ６に動力を伝えている。一方、ロックレバー１１はその一端側のピン１１−ａがカム面１６−ａと補助壁１７とにより挟持されるとともに、他端側のピン１１−ｂがピックアップ本体１２の係合凹部１２−ｂに係合している。この結果、ピックアップ本体１２つまり、ピックアップ１３はターンテーブル１４の内周側の初期位置に確実に保持されている。
図１の状態において、外部より不図示のディスクが再生装置に挿入されると、このディスクは上記ギアＧ６に伝送されている動力により回転駆動されるディスク搬送ローラ（図示せず）によって、ターンテーブルの軸線上に搬送される。そして、ディスクがターンテーブル１４の軸線上に搬送された後、ターンテーブル１４上に降下する動作に連動して、不図示の部材によってカムギアＧ９が半時計方向に少し回されてギアＧ３に噛合い図３、図４の状態となる。
この噛合い後は、カムギアＧ９はギアＧ４から動力を受けて反時計方向に回転を続け、この回転に伴うカム面１５−ａの変化に追従して、動力切替レバー９が付勢部材１８の付勢力を受けて軸３を支点にして反時計方向に回動する。また、同時に、カム面１６−ａの変化に追従して、ロックレバー１１が軸４を支点にして付勢部材１９の付勢力に抗して反時計方向に回動する。そして、動力切替レバー９のピン９−ａがカム面１５−ａの領域１５−θ１を移動することによる該動力切替レバーの回動によって、ギアＧ５がギアＧ６から離れてギアＧ７と噛合う。このとき、ロックレバー１１のピン１１−ａがカム面１６−ａの領域１６−θ１を移動することによるロックレバー１１の回動によって、ピン１１−ｂがピックアップ本体１２の係合凹部１２−ｂから離れ該ピックアップ本体は移動可能となる。
【００１３】
図５、図６は上記のように動力切替レバー９、ロックレバー１１の回動により、ギアＧ１−ギアＧ２−ギアＧ３−ギアＧ５の動力伝達系をピックアップ送り機構側に切替えるとともに、ピックアップ本体１２の保持を開放した状態を示すものである。この図５、図６の状態において、ギアＧ１−ギアＧ２−ギアＧ３−ギアＧ５の動力伝達系によって、ギアＧ７−ピニオンギアＧ８−ラックギアＧ１０を介してピックアップ本体１２に動力を伝達し、ピックアップ本体１２に設けたピックアップ１３をターンテーブル１４の半径方向に移動させる。このとき、不図示の動力源によってターンテーブル１４を回転させており、このターンテーブル１４上に搭載されたディスクを再生する。
【００１４】
この再生動作において、カムギアＧ９はギアＧ４から動力を受けて回転を続けているが、動力切替レバー９はカム面１５−ａの領域１５−θ２を移動することによって、ギアＧ１−Ｇ２−Ｇ３−Ｇ５の動力伝達系およびギアＧ７−ピニオンギアＧ８−ラックギアＧ１０を介して動力伝達を保持する。また、ロックレバー１１はカム面１６−ａの領域１６−θ１を移動することによって、ピックアップ本体１２を移動可能状態に保持する。
【００１５】
一方、図５の２点線位置まで移動してディスクの再生を終了した後、不図示の駆動源としてのモータを逆回転させると、ギアＧ１−Ｇ２−Ｇ３−Ｇ５の動力伝達系によってピニオンギアＧ８の回転を逆転させる。このため、ラックギアＧ１０を介して図５の実線位置、つまり、ターンテーブル１４の内周側にピックアップ本体１２が戻る。そして、動力切替レバー９のピン９−ａがカムギアＧ９のカム面１５−ａの領域１５-θ１に作用すると、動力切替レバー９はカムギアＧ９の回転にしたがって図５の状態から図３の状態に切り替わる。また、同時にロックレバー１１はピン１１−ａがカムギアＧ９のカム面１６−ａの領域１６−θ１に沿って移動することにより、時計方向に回動してピン１１−ｂがターンテーブル１４の内径側に戻ったピックアップ本体１２の係合凹部１２−ｂに係合する。
【００１６】
図７はピックアップ固定部の詳細を示すもので、ピックアップ本体１２の係合凹部１２−ｂは外開き斜面のテーパ状に形成されているので、ピックアップ本体１２の固定解除が遅すぎ、ピックアップ本体１２が固定されたままピックアップ送り機構に動力が切替ったとしても、上記のように動力切替レバー９のピン９−ａはカムギア５の一方のカム面１５−ａに当接しているため、ロックレバー１１のピン１１−ｂがピックアップ本体１２の係合凹部の外開き斜面に当接することにより、ロックレバー１１の回動によってピックアップ本体１２の固定解除が可能である。
【００１７】
図８はカムギアＧ９のロックレバー係合部の詳細を示すもので、ピックアップ本体１２の固定はロックレバー１１の付勢部材１９の付勢力のみでは不安定であるが、図１に示すディスク待機状態のカムギアＧ９の回転位置状態において、このカムギアＧ９のカム面１５−ａに当接するロックレバー１１のピン１１−ａを該カム面で挟むように補助壁１７を設けているため、ディスク待機状態でピックアップ本体１２の固定が不安定になることはない。
【００１８】
また、補助壁１７と当接するロックレバー１１の当接係合部をテーパ形状としたので、付勢部材１９の破損等によってロックレバー１１の回動が不安定な場合においても、ロックレバー１１を確実に回動させ、ピックアップ本体１２を固定することができる。
また、ピックアップ本体１２が十分にターンテーブル１４の内周側に戻っていなくても、ロックレバー１１のピン１１−ａは付勢部材１９の付勢力でカム面１６−ａに当接されているだけであるので、このカム面１６−ａの変化に追従してロックレバー１１が強制的に回動し、ピン１１−ｂが係合凹部１２−ｂのテーパ面によって該係合凹部内に誘い込まれ、ピックアップ本体１２は所定の位置、つまり、図７、図８に示す２点斜線位置まで戻し固定することができる。
以上のように、実施の形態によれば、１つのカムギアＧ９の回転によって、動力切替レバー９とロックレバー１１を同時に回動させるので、ディスク搬送機構とピックアップ送り機構への動力伝達系の切替とピックアップの固定および解除のタイミングを確実に合わせることができる効果がある。
【図面の簡単な説明】
【００１９】
【図１】図１はピックアップをターンテーブルの内周側に保持した状態を示す平面図である。
【図２】図１のＡ−Ａ線に沿う横断面図である。
【図３】動力をディスク搬送機構側からピックアップ送り機構側に切替えることを開始した状態を示す平面図である。
【図４】図３の要部の拡大平面図である。
【図５】動力をピックアップ送り機構側に切替えた状態を示す平面図である。
【図６】図５の要部の拡大平面図である。
【図７】ピックアップ本体の係合部とロックレバーの係合部の係合状態を示す拡大平面図である。
【図８】２つのカム面を設けたカムギアの拡大平面図である。
【符号の説明】
【００２０】
１  シャーシ、２〜８，１０  軸、９  動力切替レバー、１１  ロックレバー、１２  ピックアップ本体、１３  ピックアップ、１５，１６  カム溝、１５−ａ，１６−ａ  カム面、１７  補助壁、Ｇ１〜Ｇ７  ギア、Ｇ８  ピニオンギア、Ｇ９  カムギア、Ｇ１０  ラックギア。
【図１】
2009043329.tif 000003
【図２】
2009043329.tif 000004
【図３】
2009043329.tif 000005
【図４】
2009043329.tif 000006
【図５】
2009043329.tif 000007
【図６】
2009043329.tif 000008
【図７】
2009043329.tif 000009
【図８】
2009043329.tif 000010